(57)【要約】【課題】安価な構成にて、測定精度を向上させ得る三次元測位システムを提供する。【解決手段】移動局である三次元測位装置１によりＧＰＳ衛星Ｓからの電波を受信して三次元位置を測定するとともに地上側に設けられた基準局２からの補正データを用いて、当該測位装置１における三次元位置の測定精度の向上を図るようにした三次元測位システムにおいて、上記測位装置１を囲むように設置された基準局２を選択するとともに、これら選択された例えば３つの基準局２からの補正データの平均値を、当該測位装置１における補正用データとして用いたものである。【選択図】      図１
2004286600.tif 000002
【特許請求の範囲】
【請求項１】
移動局である測位装置によりＧＰＳ衛星からの電波を受信して三次元位置を測定するとともに地上側に設けられた固定局からの補正データを用いて、当該測位装置における三次元位置の測定精度の向上を図るようにした三次元測位システムにおいて、
複数箇所に配置された固定局からの補正データの平均値を、上記測位装置における補正用データとして用いることを特徴とする三次元測位システム。
【請求項２】
複数箇所に配置された固定局を直線で結ぶことにより定義されるエリア内に、測位装置が位置するように、当該固定局を選択するようにしたことを特徴とする請求項１に記載の三次元測位システム。
【請求項３】
移動局である測位装置によりＧＰＳ衛星からの電波を受信して三次元位置を測定するとともに地上側に設けられた固定局からの補正データを用いて、当該測位装置における三次元位置の測定精度の向上を図るようにした三次元測位システムにおいて、
測位装置を囲むように配置された複数の固定局からの補正データを受け取るとともに、これら補正データの平均値を求め、且つこの求められた平均値である補正用データを上記測位装置に送信する配信センターを具備したことを特徴とする三次元測位システム。
【発明の詳細な説明】
【０００１】
【発明の属する技術分野】
本発明は、ＧＰＳ測位方式を用いた三次元測位システムに関するものである。
【０００２】
【従来の技術】
最近、土木測量分野での位置測定、および車両、船舶などの移動体の位置測定においては、ＧＰＳ衛星からの電波を受信して三次元位置を得るようにしたＧＰＳ測位方式（全地球測位システム）が利用されている。
【０００３】
このＧＰＳ測位については、大きく分けて、単独測位方式と相対測位方式とがあるが、高い精度が要求される場合には、相対測位方式が用いられている。
そして、この相対測位方式には、ディファレンシャアル方式、スタティック方式、キネマティック方式、リアルタイムキネマティック方式などがあり、この相対測位方式は、基本的には、位置が既知である基準局（固定局）で得られた補正データを用いて、例えば電波が電離層および大気層を通過する際の伝搬路遅延量（伝搬路誤差でもある）を除去するようにしたものである（例えば、特許文献１参照）。
【０００４】
【特許文献１】
特開平６−１８６４９号公報
【０００５】
【発明が解決しようとする課題】
ところで、従来の相対測位方式によると、基準局はかなりの間隔（距離）でもって配置されており、例えば半径１００〜２００ｋｍの範囲においては、同一の補正データが配信されており、したがって測定位置（地点）が基準局からかなり離れている場合には、どうしても、測定誤差が発生するという問題がある。
【０００６】
より具体的に説明すれば、電離層および大気層を通過する際の伝搬路遅延量については、基準局と自己の測定位置との距離（基線）が長くなるにつれて、それぞれの遅延量の違いが大きくなり、測定精度が低下するという問題がある。
【０００７】
このような問題を解決する方法として、例えばＧＰＳ衛星からの信号であるＬ１帯およびＬ２帯の２つの周波数を用いて、電離層および大気層を通過する際に生じる遅延を補正する方法があるが、２つの周波数を用いて測定を行うＧＰＳ受信機については、その価格が高いという課題がある。
【０００８】
そこで、本発明は、安価な構成にて、測定精度を向上させ得る三次元測位システムを提供することを目的とする。
【０００９】
【課題を解決するための手段】
上記課題を解決するために、本発明の請求項１に係る三次元測位システムは、移動局である測位装置によりＧＰＳ衛星からの電波を受信して三次元位置を測定するとともに地上側に設けられた固定局からの補正データを用いて、当該測位装置における三次元位置の測定精度の向上を図るようにした三次元測位システムにおいて、
複数箇所に配置された固定局からの補正データの平均値を、上記測位装置における補正用データとして用いたものである。
【００１０】
また、請求項２に係る三次元測位システムは、請求項１に記載のシステムにおいて、複数箇所に配置された固定局を直線で結ぶことにより定義されるエリア内に、測位装置が位置するように、当該固定局を選択するようにしたものである。
【００１１】
さらに、請求項３に係る三次元測位システムは、移動局である測位装置によりＧＰＳ衛星からの電波を受信して三次元位置を測定するとともに地上側に設けられた固定局からの補正データを用いて、当該測位装置における三次元位置の測定精度の向上を図るようにした三次元測位システムにおいて、
測位装置を囲むように配置された複数の固定局からの補正データを受け取るとともに、これら補正データの平均値を求め、且つこの求められた平均値である補正用データを上記測位装置に送信する配信センターを具備したものである。
【００１２】
上記各構成によると、ＧＰＳ衛星からの電波を受信して、測位装置の三次元位置を求める際に、その周囲に設置されている複数の固定局にて得られた補正データの平均値である補正用データを用いて、当該測位装置における位置データを補正するようにしたので、例えば１つの固定局からの補正データに基づき補正する場合に比べて、測定精度の向上を図ることができ、しかも、１周波数型のＧＰＳ受信機を採用した場合でも、測定精度を低下させることがないので、安価で且つ測定精度の良い測位システムが得られる。
【００１３】
【発明の実施の形態】
以下、本発明の実施の形態に係る三次元測位システムを、図１〜図４に基づき説明する。
【００１４】
この三次元測位システムは、全地球測位システム（ＧＰＳ）を用いており、具体的には、例えばリアルタイムキネマチック測位方式（ＲＴＫ方式）が用いられており、移動局である三次元測位装置により、ＧＰＳ衛星からの電波を受信してその三次元位置を測定するとともに複数箇所に設置された固定局である基準局からの補正データを用いて、当該三次元測位装置の測定精度の向上を図るようにしたものである。
【００１５】
すなわち、図１に示すように、この三次元測位システムには、少なくとも４個のＧＰＳ衛星Ｓからの電波を受信して自己の三次元位置を測定する三次元測位装置（ＧＰＳ受信機でもあり、以下、測位装置という）１と、三次元位置が既知とされた複数箇所にそれぞれ設置された基準局２と、これら各基準局２にて得られた補正データをネットワーク回線（勿論、無線による通信回線でもよい）４を介して受信するとともに、その測位装置１の現在位置に基づきこれら補正データに修正を施した修正補正データ（補正用データ）を当該測位装置１に配信するための配信センター４とが具備されている。
【００１６】
上記測位装置１は、図２に示すように、ＧＰＳ衛星Ｓからの電波を受信する電波受信手段（具体的には、ＧＰＳ用受信アンテナである）１１と、少なくとも配信センター４からの修正補正データを受信するデータ通信手段（例えば、無線によるデータ送受信機が用いられる）１２と、上記電波受信手段１１にて受信した電波から測位用コード、搬送波位相などの観測データを検出する観測データ検出手段（例えば、測位用コードに基づき擬似距離を求める回路、搬送波位相のカウント回路などを有するもの）１３と、この観測データ検出手段１３にて観測データが検出されない場合に当該測位装置１の三次元位置を演算するために使用される補助データを検出するための補助データ検出手段（例えば、加速度計、方位計などを備えたジャイロセンサーなどが用いられる）１４と、上記観測データ検出手段１３および補助データ検出手段１４にて得られた各データを入力して例えば擬似距離に基づき位置を単独で演算する単独位置演算手段（例えば、演算回路である）１５および基準局２に対する相対位置を演算する相対位置演算手段１６と、上記各手段を制御する制御手段１７と、この制御手段１７に接続されたキーボードなどの入力手段１８および演算された三次元位置を表示する液晶表示板などの表示手段１９とから構成されている。勿論、これら各手段の他に、三次元位置を演算する際に必要な記憶手段などが具備されている。なお、搬送波位相には定常的なノイズが含まれているため、例えばカルマンフィルタなどの推定手法により、平滑化するのが望ましい。
【００１７】
ここで、基準局２について説明しておく。
各基準局２においては、２周波数型のＧＰＳ受信機を用いることで、ＧＰＳ衛星からの信号の搬送波位相（波数）および信号の到達時間が測定されて、基準局２とＧＰＳ衛星Ｓとの間の距離が精度良く求められる。
【００１８】
そして、このとき、ＧＰＳ衛星Ｓから発信されるＬ１帯（１５７５．４２ＭＨｚ）およびＬ２帯（１２２７．６ＭＨｚ）の周波数信号を受信することで、基準局２での電離層および大気層を通過する際の伝搬路遅延量が求められる。この伝搬路遅延量φについては、下記の（１）式に基づき、各ＧＰＳ衛星Ｓ毎に求められる。
【００１９】
【数１】
φ＝φＬ２−（ｆ２／ｆ１）×φＬ１・・・（１）
（１）式中、各記号は下記の通りである。
【００２０】
φＬ１：Ｌ１帯搬送波位相積算値
φＬ２：Ｌ２帯搬送波位相積算値
ｆ１：Ｌ１帯周波数
ｆ２：Ｌ２帯周波数
なお、位相積算値とは、ＧＰＳ衛星と基準局との間の搬送波における全波数であり、ＧＰＳ衛星と基準局との距離が既知であるため、距離を信号の到達時間で割ることにより求められる。
【００２１】
次に、上記配信センター４について説明する。
この配信センター４には、図３に示すように、測定に係る測位装置１から入力される位置データ（擬似位置）に基づき、当該測位装置１を囲む複数の基準局２を選択する基準局選択手段２１と、この基準局選択手段２１により選択された各基準局２から送信される補正データを入力しその平均値を演算して修正補正データを得るための修正補正データ演算手段２２と、各測位装置１および各基準局２との間でデータの受け渡しを行うためのデータ通信手段２３とが具備されている。勿論、各基準局２からの補正データおよび測位装置１からの位置データは、上記データ通信手段２３を介して入力される。
【００２２】
なお、図１において、１２ａはデータ通信手段１２側の無線用アンテナを示し、また２ａは基準局２側のＧＰＳ用受信アンテナを示し、さらに４ａは配信センター４側の無線用アンテナを示している。
【００２３】
上記三次元測位システムにおいて、リアルタイムキネマティック方式を用いた測位動作について説明する。
測位装置１により三次元位置を測定する場合、少なくとも４個のＧＰＳ衛星Ｓからの電波が電波受信手段１１にて受信されるとともにこの受信された信号が観測データ検出手段１３に入力され、ここで、Ｌ１帯の周波数に載っている測位コードおよびＬ１帯の搬送波位相が求められる。
【００２４】
そして、この測位コードが単独位置演算手段１５に入力されて擬似的な三次元位置が求められるとともに、搬送波位相が相対位置演算手段１６に入力されて搬送波位相に基づく三次元位置が求められる（基準局との間で基線が求められる）。
【００２５】
上記測位コードに基づく位置データは、一応、誤差を含んだ擬似的なものであり、この位置データが配信センター４に送られ、ここで、当該測位装置１についての修正補正データが演算により求められる。
【００２６】
そして、配信センター４においては、図４に示すように、その測位装置１から送られた位置データに基づき、基準局選択手段２１により、当該測位装置１の周囲に設置されている例えば３つの基準局２を選択するとともに、これら３つの基準局２から入力された補正データが修正補正データ演算手段２２に入力され、ここで、３つの補正データの平均値である修正補正データが求められる。なお、３つの基準局２を選択する際には、これら基準局２，２同士を直線で結ぶことにより得られた（定義された）３角形のエリア内（図の斜線で示す）に、当該測位装置１が入るようにされる。
【００２７】
上記求められた修正補正データが配信センター４から測位装置１にデータ通信手段２３を介して無線により送信される。
そして、測位装置１においては、配信センター４から無線にて送信される修正補正データを用いて、相対位置演算手段１６により搬送波位相に基づく三次元位置が精度良く求められる。
【００２８】
このように、ＧＰＳ衛星Ｓからの電波を受信して、例えば搬送波位相により、測位装置１の三次元位置を求める際に、その周囲に設置された３つの基準局２にて得られた補正データの平均値を用いて、当該測位装置１にて求められる位置データを補正するようにしているので、例えば１つの基準局からの補正データを用いて補正する場合に比べて、測定精度の向上を図ることができる。
【００２９】
しかも、移動局である測位装置１に、１周波数型のもの（ＧＰＳ受信機）を採用した場合でも、測定精度を低下させることがないので、安価で且つ測定精度の良い測位システムが得られる。
【００３０】
ところで、上記実施の形態においては、測位方式としてリアルタイムキネマティック方式について説明したが、勿論、ディファレンシャアル方式、スタティック方式、キネマティック方式などにも適用し得るものである。
【００３１】
【発明の効果】
以上のように本発明の三次元測位システムの構成によると、ＧＰＳ衛星からの電波を受信して、測位装置の三次元位置を求める際に、その周囲に設置されている複数の固定局にて得られた補正データの平均値である補正用データを用いて、当該測位装置における位置データを補正するようにしたので、例えば１つの固定局からの補正データに基づき補正する場合に比べて、測定精度の向上を図ることができ、しかも、１周波数型のＧＰＳ受信機を採用した場合でも、測定精度を低下させることがないので、安価で且つ測定精度の良い測位システムが得られる。
【図面の簡単な説明】
【図１】本発明の実施の形態に係る三次元測位システムの概略全体構成を示す図である。
【図２】同三次元測位システムにおける三次元測位装置の概略構成を示すブロック図である。
【図３】同三次元測位システムにおける配信センターの概略構成を示すブロック図である。
【図４】同三次元測位システムにおける測位動作を説明するための図である。
【符号の説明】
Ｓ      ＧＰＳ衛星
１      三次元測位装置
２      基準局
３      ネットワーク回線
４      配信センター
１１      電波受信手段
１２      データ通信手段
１３      観測データ検出手段
１５      単独位置演算手段
１６      相対位置演算手段
１７      制御手段
２１      基準局選択手段
２２      修正補正データ演算手段
２３      データ通信手段
【図１】
2004286600.tif 000003
【図２】
2004286600.tif 000004
【図３】
2004286600.tif 000005
【図４】
2004286600.tif 000006